(57)【要約】      （修正有）【課題】吸水シートを縫い付けたときの縫い目から生じる水分の漏れを、吸水シートとパンツ生地との間に介在する防水連結部によって遮断し、軽減する。【解決手段】パンツ生地７と吸水シートＳを有し、前記吸水シートは、ドライ層と、拡散層と、吸水層と、防水層とを積層して成り、前記吸水シートの周縁を覆い囲うように防水性テープ部材を縫着し、前記防水性テープ部材を縫着した吸水シートと前記パンツ生地との間に防水連結部を介在させ、前記防水連結部の一端をパンツ生地に縫着すると共に、前記防水連結部の他端を、吸水シートの周縁に刻まれた縫い目に重なるようにして縫着したことを特徴とする失禁パンツ。【選択図】図４
0003112718.tif 000002
【実用新案登録請求の範囲】
【請求項１】
パンツ生地と吸水シートを有し、前記吸水シートは、ドライ層と、拡散層と、吸水層と、防水層とを積層して成り、前記吸水シートの周縁を覆い囲うように防水性テープ部材を縫着し、前記防水性テープ部材を縫着した吸水シートと前記パンツ生地との間に防水連結部を介在させ、前記防水連結部の一端をパンツ生地に縫着すると共に、前記防水連結部の他端を、吸水シートの周縁に刻まれた縫い目に重なるようにして縫着したことを特徴とする失禁パンツ。
【請求項２】
前記吸水シートを構成する各層の少なくとも一つを消臭性の繊維で構成したことを特徴とする請求項１記載の失禁パンツ。
【請求項３】
前記吸水シートを構成する各層の少なくとも一つを抗菌性の繊維で構成したことを特徴とする請求項１又は２記載の失禁パンツ。
【考案の詳細な説明】
【技術分野】
【０００１】
本考案は失禁に対応するための失禁パンツに関する。
【背景技術】
【０００２】
従来の失禁パンツとして、パンツ生地に尿等を吸収する吸収シートを備えたものが存在する。
【０００３】
失禁パンツに装着された吸水シートは、吸水層、保水層などを備えており、その周縁部の全周にわたって防水テープを施して成るものである。この吸水シートをパンツ生地に固定するには、吸水シートの周縁をパンツ生地に直接的に縫着して固定する。
【特許文献１】登録実用第３０７３２７９号公報
【考案の開示】
【考案が解決しようとする課題】
【０００４】
しかし、この従来の失禁パンツには次のような欠点があった。
【０００５】
すなわち、従来の吸水シートはパンツ生地に直接的に縫い付けられるものであって、吸水シートとパンツ生地との間に介在するものがないため、その縫い目から尿などの水分が漏れ出した場合、直接的にパンツ生地を濡らしてしまうという欠点があった。
【０００６】
そこで、本考案の目的は、吸水シートを縫い付けたときの縫い目から生じる水分等の漏れを出来る限り軽減することを目的とする。  
【課題を解決するための手段】
【０００７】
本考案は、パンツ生地と吸水シートを有し、前記吸水シートは、ドライ層と、拡散層と、吸水層と、防水層とを積層して成り、前記吸水シートの周縁を覆い囲うように防水性テープ部材を縫着し、前記防水性テープ部材を縫着した吸水シートと前記パンツ生地との間に防水連結部を介在させ、前記防水連結部の一端をパンツ生地に縫着すると共に、前記防水連結部の他端を、吸水シートの周縁に刻まれた縫い目に重なるようにして縫着したことを特徴とする失禁パンツである。
【０００８】
また、尿等の臭いによる不快感を和らげるには、前記吸水シートを構成する各層の少なくとも一つを消臭性の繊維で構成することが好ましい。
【０００９】
また、尿等を起因として菌類が繁殖する恐れを防ぐためには、前記吸水シートを構成する各層の少なくとも一つを抗菌性の繊維で構成することが好ましい。
【考案の効果】
【００１０】
本考案の失禁パンツであると、吸水シートを縫い付けたときの縫い目から生じる水分の漏れを、吸水シートとパンツ生地との間に介在する防水連結部によって遮断し、パンツ生地に対する漏れを軽減することができる。
【００１１】
また、吸水シートを構成する各層の少なくとも一つを消臭性の繊維で構成すれば、尿などの臭いによる不快感を軽減することができる。
【００１２】
また、吸水シートを構成する各層の少なくとも一つを抗菌性の繊維で構成すれば、菌類の繁殖を軽減することができる。
【考案を実施するための最良の形態】
【００１３】
以下、本考案を実施するための最良の形態を、実施例として示す各図と共に説明する。
【実施例】
【００１４】
図１ないし図５は本考案の失禁パンツＰの実施例である。図１は、本考案の実施例の斜視図、図２は本考案の実施例の吸水シートＳの構成を示す斜視図、図３は本考案の実施例の吸水シートＳに防水性テープ部材５を縫着した状態を示す斜視図、図４は本考案の実施例のパンツ生地７と防水連結部６と吸水シートＳとの縫着状態を示す斜視図、図５は本考案の実施例のパンツ生地７と防水連結部６と吸水シートＳとの取り付け状態を示す断面図である。
【００１５】
まず、本考案の実施例である失禁パンツＰについて説明する。
【００１６】
失禁用パンツＰはパンツ生地７と吸水シートＳから構成される。吸水シートＳは複数の層を重ねて構成される。すなわち、吸水シートＳは、肌側から順に、ドライ層１、拡散層２、吸水層３、防水層４を積層して構成される。
【００１７】
ドライ層１は吸収シートＳの最も肌側に位置し、肌に接する部分である。このドライ層１は複数の穴を有する網体で構成される。この穴は尿等の水分を通過させるためのものである。尿等の水分はドライ層に形成された穴を通過して下側の層に誘導される。この穴の直径は０．５〜２．５ｍｍ程度のものである。
【００１８】
このように、ドライ層１の穴によって水分を下層へ誘導することから、肌と水分との接触を可及的に避けることができる。
【００１９】
ドライ層１は天然素材又は合成素材により構成される網体であるが、例えば、撥水性の高い繊維で構成することもできる。撥水性の高い繊維で構成したドライ層１は、ドライ層１を通過した水分を肌側に通過させない機能を有する。
【００２０】
なお、このような撥水性を備える繊維としてはポリプロピレン等が挙げられる。
【００２１】
拡散層２はドライ層１の下側に位置する。この拡散層２は水分が広がり易く、濡れ易い繊維で構成する。拡散層２はドライ層１を通過した水分を吸収すると共に、当該層の全体に亘って水分を拡散するものである。
【００２２】
拡散層２は、例えば、濡れ特性の優れた繊維であるレーヨン等と、水分が広がり易いアクリル等を混合して構成される。
【００２３】
ドライ層１を通過して拡散層２に接触した水分は、界面張力の差によってドライ層１から拡散層２に誘導されて吸収されると同時に、拡散層２内に拡散される。なお、拡散層２を複数積層することによって効果的に拡散を行うこともできる。
【００２４】
吸水層３は拡散層２の下側に位置する。吸水層３は拡散層２よりも濡れ特性の優れた繊維で構成する。この吸水層３は拡散層２を通過した水分を吸水し保持する。
【００２５】
このように、本考案の失禁パンツＰは各層を形成する繊維の濡れ易さと界面張力の差によって水分を吸水層３まで誘導し、保持するようになっている。なお、吸水層３の吸水量を多くするためには、たとえば、吸水層３を連続して重ねて構成することが好ましい。
【００２６】
防水層４は吸水層３の下側に位置する。防水層４は防水加工された繊維で構成される。例えば、ウレタン素材、ポリエチレン、ポリプロピレン、ポリスチレンなどで構成される。また、ラミネート加工された繊維でも構成できる。この防水層４によって吸水層３で吸水・保持された水分が外側（衣類側）に漏れ出すのを防止する。
【００２７】
また、ラミネート加工による場合は、液体を通さないが気体を通すように構成されており、ムレないという特性を有する。
【００２８】
吸水シートＳは上記４つの層をキルティング状に一体的に重ねて縫い合わせ、その周縁を防水性テープ部材５で覆うようにして構成される。
【００２９】
防水性テープ部材５は防水性を有する繊維で構成されており、上記４つの層の周縁を覆い囲うように縫着される。したがって、吸水層３に吸収された水分が外側に漏れ出ることがない。
【００３０】
すなわち、一体的に重ね合わせて縫い合わせた吸水シートＳにおいて、その全ての周端を防水性テープ部材５で覆うように縫着することから、吸水層３に吸収された水分が外側に漏れ出ることがない。
【００３１】
吸水シートＳは防水連結部６を介してパンツ生地７に縫着する。防水連結部６は防水性を有する繊維で構成される。図４、５のように、防水性テープ部材６を縫着した吸水シートＳとパンツ生地７との間に防水連結部６を介在させ、防水連結部６の一端をパンツ生地７に縫着すると共に、防水連結部６の他端を吸水シートＳの周縁に刻まれた縫い目８に重なるようにして縫着する。
【００３２】
すなわち、防水連結部６は、パンツ生地７と吸水シートＳとの間に配置され、一端は吸水シートＳに縫着され、他端はパンツ生地７に縫着される。このとき、図５のように、防水連結部６は、吸水シートＳの周縁に刻まれた縫い目８の下側に位置するように配置し、吸水シートＳの端縁（防水性テープ部材５）と縫着するようにする。
【００３３】
本実施例では防水連結部６を２ヶ所に配置する。すなわち、吸水シートＳの対向する両端（前側と後側）に防水連結部６を縫着し、吸水シートＳの対向する両端に縫着された各防水連結部がパンツ生地７に縫着される。
【００３４】
なお、防水連結部６と吸水シートＳは、吸水シートＳの周縁を覆い囲う防水性テープ部材５の幅を超えるようにして重なり合い縫着するのが好ましい。
【００３５】
また、吸水シートＳを構成する各層に消臭性素材や抗菌性素材を含有させることもできる。例えば、消臭性素材として活性炭等が挙げられる。また、抗菌性素材として、亜鉛イオン、銅イオンを含有する化合物などを含有させることができる。
【図面の簡単な説明】
【００３６】
【図１】本考案の実施例の斜視図。
【図２】本考案の実施例の吸水シートの構成を斜視図。
【図３】本考案の実施例の吸水シートに防水性部材を縫着した状態を示す斜視図。
【図４】本考案の実施例のパンツ生地と防水連結部と吸水シートとの取り付け状態を示す斜視図。
【図５】本考案の実施例のパンツ生地と防水連結部と吸水シートとの取り付け状態を示す断面図。
【符号の説明】
【００３７】
Ｐ      失禁パンツ
Ｓ      吸水シート
１      ドライ層
２      拡散層
３      吸水層
４      防水層
５      防水性テープ部材
６      防水性連結部
７      パンツ生地
８      縫い目
【図１】
0003112718.tif 000003
【図２】
0003112718.tif 000004
【図３】
0003112718.tif 000005
【図４】
0003112718.tif 000006
【図５】
0003112718.tif 000007